【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
ディスプレイシステムであって、
光を視認者に投影し、仮想オブジェクトを１つ以上の深度平面上に表示するように構成される頭部搭載型ディスプレイであって、前記ディスプレイは、
前記光を前記視認者に投影するように構成される１つ以上の導波管であって、前記１つ以上の導波管は、周囲環境内のオブジェクトからの光を前記視認者に透過させるようにさらに構成される、１つ以上の導波管と、
前記１つ以上の導波管と前記視認者の第１の眼との間の第１の可変焦点レンズ要素と、
前記１つ以上の導波管と周囲環境との間の第２の可変焦点レンズ要素と
を備える、ディスプレイと、
前記視認者の眼の輻輳・開散運動を決定するように構成される眼追跡システムと
を備え、
前記ディスプレイシステムは、
前記視認者の眼の前記輻輳・開散運動の深度を決定することと、
前記第１の可変焦点レンズ要素に、深度平面上に前記仮想オブジェクトを形成するために前記投影された光の波面発散を修正させることと
を行うように構成され、
前記波面発散の前記修正の量は、前記視認者の眼の前記輻輳・開散運動の前記決定された深度と、前記視認者の第１の眼の屈折誤差を補正するための量とに基づく、ディスプレイシステム。
【請求項２】
前記ディスプレイシステムは、前記第２の可変焦点レンズ要素に、深度平面上に前記周囲環境内の前記オブジェクトからの入射光の波面発散を修正させるように構成され、前記波面発散の前記修正の量は、前記視認者の眼の前記輻輳・開散運動の前記決定された深度と、前記視認者の第１の眼の前記屈折誤差を補正するための量とに基づく、請求項１に記載のディスプレイシステム。
【請求項３】
前記ディスプレイシステムは、前記第１の可変焦点レンズ要素の前記補正された屈折誤差の量に応答して、前記第２の可変焦点レンズ要素の補正された屈折誤差の量を調節するように構成される、請求項１に記載のディスプレイシステム。
【請求項４】
前記１つ以上の導波管は、発散光を前記視認者に投影し、前記仮想オブジェクトを表示するように構成される、請求項１に記載のディスプレイシステム。
【請求項５】
前記１つ以上の導波管の各々は、固定屈折力を有する、請求項１に記載のディスプレイシステム。
【請求項６】
前記１つ以上の導波管と前記視認者の第２の眼との間の第３の可変焦点要素をさらに備える、請求項１に記載のディスプレイシステム。
【請求項７】
前記１つ以上の導波管と周囲環境との間の第４の可変焦点要素をさらに備える、請求項６に記載のディスプレイシステム。
【請求項８】
前記ディスプレイシステムは、前記第３の可変焦点レンズ要素に、深度平面上に前記仮想オブジェクトを形成するために前記投影された光の波面発散を修正させるように構成され、前記波面発散の前記修正の量は、前記視認者の眼の前記輻輳・開散運動の前記決定された深度と、前記視認者の第２の眼の屈折誤差を補正するための量とに基づく、請求項７に記載のディスプレイシステム。
【請求項９】
前記ディスプレイシステムは、前記第４の可変焦点レンズ要素に、深度平面上に前記周囲環境内の前記オブジェクトからの入射光の波面発散を修正させるように構成され、前記波面発散の前記修正の量は、前記視認者の眼の前記輻輳・開散運動の前記決定された深度と、前記視認者の第２の眼の前記屈折誤差を補正するための量とに基づく、請求項８に記載のディスプレイシステム。
【請求項１０】
眼追跡システムは、１つ以上のカメラを備える、請求項１に記載のディスプレイシステム。
【請求項１１】
前記第１および／または第２の可変焦点レンズ要素の補正された屈折誤差の量は、２つ以上の距離における前記視認者の第１の眼の視覚を補正するために、処方箋に従って調節される、請求項１に記載のディスプレイシステム。
【請求項１２】
前記ディスプレイシステムは、前記第１および第２の可変焦点レンズ要素の各々に対し、３つ以上の事前に設定された処方箋屈折誤差を有する、請求項１に記載のディスプレイシステム。
【請求項１３】
利用可能な処方箋屈折誤差の数は、少なくとも前記ディスプレイのための深度平面の総数と等しい、請求項１に記載のディスプレイシステム。
【請求項１４】
前記第１および／または第２の可変焦点レンズ要素は、２つの基板間に挟入された液晶の層を備える、請求項１に記載のディスプレイシステム。
【請求項１５】
前記第１および／または第２の可変焦点レンズ要素は、電圧の印加に応じて前記液晶層の屈折率を改変するための電極を備える、請求項１４に記載のディスプレイシステム。
【請求項１６】
前記基板は、ガラスを含む、請求項１４に記載のディスプレイシステム。
【請求項１７】
電流または電圧の印加によって前記第１および／または第２の可変焦点レンズ要素の屈折率を変動させるように構成される電子ハードウェア制御システムをさらに備える、請求項１５に記載のディスプレイシステム。
【請求項１８】
前記眼追跡システムは、前記電子ハードウェア制御システムへのフィードバックループを形成し、前記視認者の眼の決定された輻輳・開散運動に従って、前記第１および／または第２の可変焦点レンズ要素の屈折率を変動させる、請求項１７に記載のディスプレイシステム。
【請求項１９】
画像情報を頭部搭載型ディスプレイ上に表示するための方法であって、前記方法は、
視認者の頭部上に搭載されるディスプレイを提供することであって、前記ディスプレイは、仮想オブジェクトを１つ以上の深度平面上に表示するように構成され、前記ディスプレイは、
光を前記視認者に投影し、前記仮想オブジェクトを表示するように構成される１つ以上の導波管
を備え、
前記１つ以上の導波管はさらに、周囲環境内のオブジェクトからの光を前記視認者に透過させるように構成される、ことと、
前記視認者の眼の輻輳・開散運動点を決定することと、
前記視認者の前記視認者の第１の眼の屈折誤差を補正することであって、前記補正することは、
前記１つ以上の導波管と前記視認者の眼との間に配置される第１の可変焦点レンズ要素の屈折力を変動させることであって、前記第１の可変焦点レンズ要素は、深度平面上に前記仮想オブジェクトを形成するために前記投影された光の波面発散を修正し、前記波面発散の前記修正の量は、前記視認者の眼の前記輻輳・開散運動の前記決定された深度と、前記視認者の第１の眼の屈折誤差を補正するための量とに基づく、ことと、
前記１つ以上の導波管と前記視認者を囲繞する環境との間に配置される第２の可変焦点レンズ要素の屈折力を変動させることであって、前記第２の可変焦点レンズ要素の前記屈折力は、深度平面上に前記周囲環境内の前記オブジェクトからの入射光の波面発散を修正し、前記波面発散の前記修正の量は、前記視認者の眼の前記輻輳・開散運動の前記決定された深度と、前記視認者の第１の眼の前記屈折誤差を補正するための量とに基づく、ことと
によって行われる、ことと
を含む、方法。
【請求項２０】
第３の可変焦点レンズ要素および第４の可変焦点レンズ要素であって、前記第３の可変焦点レンズ要素は、前記１つ以上の導波管と前記視認者の第２の眼との間にあり、前記第４の可変焦点レンズ要素は、前記１つ以上の導波管と周囲環境との間にある、第３の可変焦点レンズ要素および第４の可変焦点レンズ要素
をさらに備え、
前記第３の可変焦点レンズ要素の屈折力を変動させることであって、前記第３の可変焦点レンズ要素は、深度平面上に前記仮想オブジェクトを形成するために前記投影された光の波面発散を修正し、前記波面発散の前記修正の量は、前記視認者の眼の前記輻輳・開散運動の前記決定された深度と、前記視認者の第２の眼の屈折誤差を補正するための量とに基づく、ことと
前記第４の可変焦点レンズ要素の屈折力を変動させることであって、前記第４の可変焦点レンズ要素は、深度平面上に前記周囲環境内の前記オブジェクトからの入射光の波面発散を修正し、前記波面発散の前記修正の量は、前記視認者の眼の前記輻輳・開散運動の前記決定された深度と、前記視認者の第１の眼の前記屈折誤差を補正するための量とに基づく、ことと
によって、前記視認者の第２の眼の屈折誤差を補正することを含む、請求項１９に記載の方法
【請求項２１】
前記輻輳・開散運動点を決定することは、１つ以上のカメラを使用して、前記視認者の両眼の輻輳・開散運動を追跡することを含む、請求項２０に記載の方法。
【請求項２２】
前記第１の可変焦点レンズ要素の屈折力は、前記第２の可変焦点レンズ要素の屈折力と同時に変動される、請求項１９に記載の方法。
【請求項２３】
前記１つ以上の導波管の各々は、前記導波管からの発散光を出力するように構成される、回折光学要素を備える、請求項１９に記載の方法。
【手続補正２】
【補正対象書類名】明細書
【補正対象項目名】００３１
【補正方法】変更
【補正の内容】
【００３１】
実施例２３：１つ以上の導波管の各々は、導波管からの発散光を出力するように構成される、回折光学要素を備える、実施例１９−２２のいずれかに記載の方法。
本願明細書は、例えば、以下の項目も提供する。
（項目１）
ディスプレイシステムであって、
光を視認者に投影し、画像情報を１つ以上の深度平面上に表示するように構成される頭部搭載型ディスプレイであって、前記ディスプレイは、
前記光を前記視認者に投影するように構成される１つ以上の導波管であって、前記１つ以上の導波管は、周囲環境内のオブジェクトからの光を前記視認者に透過させるようにさらに構成される、１つ以上の導波管と、
前記１つ以上の導波管と前記視認者の第１の眼との間の第１の可変焦点レンズ要素と、
前記１つ以上の導波管と周囲環境との間の第２の可変焦点レンズ要素と
を備える、ディスプレイと、
前記視認者の眼の輻輳・開散運動を決定するように構成される眼追跡システムと
を備え、
前記ディスプレイシステムは、前記視認者の眼の決定された輻輳・開散運動に基づいて、前記第１および第２の可変焦点レンズ要素の屈折力を調節することによって、前記ユーザの眼の屈折誤差を補正するように構成される、ディスプレイシステム。
（項目２）
前記ディスプレイシステムは、前記画像情報を表示するために、深度平面に応じて前記第１および第２の可変焦点レンズ要素の屈折力を修正するように構成される、項目１に記載のディスプレイシステム。
（項目３）
前記ディスプレイシステムは、前記第１の可変焦点レンズ要素の屈折力に応答して、前記第２の可変焦点レンズ要素の屈折力を調節するように構成される、項目１に記載のディスプレイシステム。
（項目４）
前記１つ以上の導波管は、発散光を前記視認者に投影し、前記画像情報を表示するように構成される、項目１に記載のディスプレイシステム。
（項目５）
前記１つ以上の導波管の各々は、固定屈折力を有する、項目１に記載のディスプレイシステム。
（項目６）
前記１つ以上の導波管と前記視認者の第２の眼との間の第３の可変焦点要素をさらに備える、項目１に記載のディスプレイシステム。
（項目７）
前記１つ以上の導波管と周囲環境との間の第４の可変焦点要素をさらに備える、項目６に記載のディスプレイシステム。
（項目８）
前記システムは、前記決定された輻輳・開散運動に基づいて、前記第３の可変焦点レンズ要素の屈折力を調節し、前記投影された光の波面を変動させるように構成される、項目６に記載のディスプレイシステム。
（項目９）
前記システムは、前記決定された輻輳・開散運動に基づいて、前記第４の可変焦点レンズ要素の屈折力を調節し、前記周囲環境内のオブジェクトからの入射光の波面を変動させるように構成される、項目８に記載のディスプレイシステム。
（項目１０）
眼追跡システムは、１つ以上のカメラを備える、項目１に記載のディスプレイシステム。
（項目１１）
前記第１および／または第２の可変焦点レンズ要素の屈折力は、２つ以上の距離における前記視認者の視覚を補正するために、処方箋に従って調節される、項目１に記載のディスプレイシステム。
（項目１２）
前記システムは、前記第１および第２の可変焦点レンズ要素の各々に対し、３つ以上の事前に設定された処方箋屈折力を有する、項目１に記載のディスプレイシステム。
（項目１３）
利用可能な処方箋屈折力の数は、少なくとも前記ディスプレイのための深度平面の総数と等しい、項目１に記載のディスプレイシステム。
（項目１４）
前記第１および／または第２の可変焦点レンズ要素は、２つの基板間に挟入された液晶の層を備える、項目１に記載のディスプレイシステム。
（項目１５）
前記第１および／または第２の可変焦点レンズ要素は、電圧の印加に応じて前記液晶層の屈折率を改変するための電極を備える、項目１４に記載のディスプレイシステム。
（項目１６）
前記基板は、ガラスを含む、項目１４に記載のディスプレイシステム。
（項目１７）
電流または電圧の印加によって前記第１および／または第２の可変焦点レンズ要素の屈折率を変動させるように構成される電子ハードウェア制御システムをさらに備える、項目１に記載のディスプレイシステム。
（項目１８）
前記眼追跡システムは、前記電子ハードウェア制御システムへのフィードバックループを形成し、前記視認者の眼の決定された輻輳・開散運動に従って、前記第１および／または第２の可変焦点レンズ要素の屈折率を変動させる、項目１７に記載のディスプレイシステム。
（項目１９）
画像情報を頭部搭載型ディスプレイ上に表示するための方法であって、前記方法は、
視認者の頭部上に搭載されるディスプレイを提供することであって、前記ディスプレイは、画像情報を１つ以上の深度平面上に表示するように構成され、前記ディスプレイは、
光を前記視認者に投影し、前記画像情報を表示するように構成される１つ以上の導波管
を備え、
前記１つ以上の導波管はさらに、周囲環境内のオブジェクトからの光を前記視認者に透過させるように構成される、ことと、
前記視認者の眼の輻輳・開散運動点を決定することと、
前記視認者の眼の屈折誤差を補正することであって、前記補正することは、
前記決定された輻輳・開散運動点に基づいて、前記１つ以上の導波管と前記視認者の眼との間に配置される第１の可変焦点レンズ要素の屈折力を変動させることと、
前記決定された輻輳・開散運動点に基づいて、前記１つ以上の導波管と前記視認者を囲繞する環境との間に配置される第２の可変焦点レンズ要素の屈折力を変動させることと
によって行われる、ことと
を含む、方法。
（項目２０）
第３の可変焦点レンズ要素および第４の可変焦点レンズ要素であって、前記第３の可変焦点レンズ要素は、前記１つ以上の導波管と前記視認者の他方の眼との間にあり、前記第４の可変焦点レンズ要素は、前記第３の可変焦点レンズの直前かつ前記１つ以上の導波管と周囲環境との間にある、第３の可変焦点レンズ要素および第４の可変焦点レンズ要素
をさらに備え、
前記決定された輻輳・開散運動点に基づいて、前記第３および第４の可変焦点レンズ要素の屈折力を変動させることによって、前記他方の眼の屈折誤差を補正することを含む、項目１９に記載の方法
（項目２１）
前記輻輳・開散運動点を決定することは、１つ以上のカメラを使用して、前記視認者の両眼の輻輳・開散運動を追跡することを含む、項目２０に記載の方法。
（項目２２）
前記第１の可変焦点レンズ要素の屈折力は、前記第２の可変焦点レンズ要素の屈折力と同時に変動される、項目１９に記載の方法。
（項目２３）
前記１つ以上の導波管の各々は、前記導波管からの発散光を出力するように構成される、回折光学要素を備える、項目１９に記載の方法。